【手続補正書】
【提出日】平成17年12月28日(2005.12.28)
【手続補正１】
【補正対象書類名】明細書
【補正対象項目名】発明の名称
【補正方法】変更
【補正の内容】
【発明の名称】印刷装置、印刷方法、プログラムおよび記憶媒体
【手続補正２】
【補正対象書類名】明細書
【補正対象項目名】特許請求の範囲
【補正方法】変更
【補正の内容】
【特許請求の範囲】
【請求項１】  印刷ジョブおよび印刷ジョブキャンセル命令を受信する受信手段と、
前記受信された印刷ジョブに基づいて被記録材に対して記録剤を吐出することにより、前記被記録材への印刷を行う記録手段と、
前記被記録材上に吐出された記録剤の乾燥を行う乾燥手段と、
前記受信された印刷ジョブの実行中に該印刷ジョブに対する印刷ジョブキャンセル命令が受信された場合、前記乾燥手段により印刷中の被記録材上の記録剤を乾燥した後に該被記録材を排紙するように制御する制御手段と
を備えることを特徴とする印刷装置。
【請求項２】  前記排紙された被記録材を受け入れる排紙部と、前記排紙部に被記録材が残存しているか否かを検出する検出手段とを備え、前記制御手段は、前記受信された印刷ジョブの実行中に該印刷ジョブに対する印刷ジョブキャンセル命令が受信された場合に、前記検出手段により前記排紙部に被記録材が残存していることが検出されると、前記乾燥手段により印刷中の被記録材上の記録剤を乾燥した後に該被記録材を前記排紙部に排紙するように制御することを特徴とする請求項１記載の印刷装置。
【請求項３】  前記制御手段は、前記受信された印刷ジョブの実行中に前記印刷ジョブのキャンセル命令が受信された場合に、前記検出手段により前記排紙部に被記録材が残存していないことが検出されると、前記乾燥手段による印刷中の被記録材上の記録剤の乾燥を行わずに該被記録材を前記排紙部に排紙するように制御することを特徴とする請求項２記載の印刷装置。
【請求項４】  印刷ジョブおよび印刷ジョブキャンセル命令を受信する受信手段と、
前記受信された印刷ジョブに基づいて被記録材に対して記録剤を吐出することにより、前記被記録材への印刷を行う記録手段と、
前記被記録材上に吐出された記録剤の乾燥を行う乾燥手段と、
前記受信された印刷ジョブを送信したユーザと前記受信された印刷ジョブキャンセル命令を送信したユーザとを判別する判別手段と、
前記受信された印刷ジョブの実行中に該印刷ジョブに対する印刷ジョブキャンセル命令が受信された場合、前記受信された印刷ジョブキャンセル命令を送信したユーザが、前記実行中の印刷ジョブの直前に被記録材が排紙された印刷ジョブを送信したユーザに一致しないと、前記乾燥手段により印刷中の被記録材上の記録剤を乾燥した後に該被記録材を排紙するように制御する制御手段とを備えることを特徴とする印刷装置。
【請求項５】  前記制御手段は、前記受信された印刷ジョブキャンセル命令を送信したユーザが前記実行中の印刷ジョブの直前に被記録材が排紙された印刷ジョブを送信したユーザに一致すると、前記乾燥手段による印刷中の被記録材上の記録剤の乾燥を行わずに該被記録材を排紙するように制御することを特徴とする請求項４記載の印刷装置。
【請求項６】  印刷ジョブおよび印刷ジョブキャンセル命令を受信する受信工程と、
前記受信された印刷ジョブに基づいて被記録材に対して記録剤を吐出することにより、前記被記録材への印刷を行う記録工程と、
前記被記録材上に吐出された記録剤の乾燥を行う乾燥工程と、
前記受信された印刷ジョブの実行中に該印刷ジョブに対する印刷ジョブキャンセル命令が受信された場合、前記乾燥工程により印刷中の被記録材上の記録剤を乾燥した後に該被記録材を排紙するように制御する制御工程と
を有することを特徴とする印刷方法。
【請求項７】  排紙部に被記録材が残存しているか否かを検出する工程を有し、前記制御工程では、前記受信された印刷ジョブの実行中に該印刷ジョブに対する印刷ジョブキャンセル命令が受信された場合に、前記検出工程により前記排紙部に被記録材が残存していることが検出されると、前記乾燥工程により印刷中の被記録材上の記録剤を乾燥した後に該被記録材を前記排紙部に排紙するように制御することを特徴とする請求項６記載の印刷方法。
【請求項８】  前記制御工程では、前記受信された印刷ジョブの実行中に前記印刷ジョブのキャンセル命令が受信された場合に、前記検出工程により前記排紙部に被記録材が残存していないことが検出されると、前記乾燥工程による印刷中の被記録材上の記録剤の乾燥を行わずに該被記録材を前記排紙部に排紙するように制御することを特徴とする請求項８記載の印刷方法。
【請求項９】  印刷ジョブおよび印刷ジョブキャンセル命令を受信する工程と、
前記受信された印刷ジョブに基づいて被記録材に対して記録剤を吐出することにより、前記被記録材への印刷を行う記録工程と、
前記被記録材上に吐出された記録剤の乾燥を行う乾燥工程と、
前記受信された印刷ジョブを送信したユーザと前記受信された印刷ジョブキャンセル命令を送信したユーザとを判別する判別工程と、
前記受信された印刷ジョブの実行中に該印刷ジョブに対する印刷ジョブキャンセル命令が受信された場合、前記受信された印刷ジョブキャンセル命令を送信したユーザが、前記実行中の印刷ジョブの直前に被記録材が排紙された印刷ジョブを送信したユーザに一致しないと、前記乾燥工程により印刷中の被記録材上の記録剤を乾燥した後に該被記録材を排紙するように制御する制御工程と
を有することを特徴とする印刷方法。
【請求項１０】  前記制御工程では、前記受信された印刷ジョブキャンセル命令を送信したユーザが前記実行中の印刷ジョブの直前に被記録材が排紙された印刷ジョブを送信したユーザに一致すると、前記乾燥工程による印刷中の被記録材上の記録剤の乾燥を行わずに該被記録材を排紙するように制御することを特徴とする請求項９記載の印刷方法。
【請求項１１】  印刷ジョブおよび印刷ジョブキャンセル命令を受信する受信手段と、前記受信された印刷ジョブに基づいて被記録材に対して記録剤を吐出することにより、前記被記録材への印刷を行う記録手段と、前記被記録材上に吐出された記録剤の乾燥を行う乾燥手段とを備える印刷装置を制御するためのプログラムであって、
前記受信された印刷ジョブの実行中に該印刷ジョブに対する印刷ジョブキャンセル命令が受信された場合、前記乾燥手段により印刷中の被記録材上の記録剤を乾燥した後に該被記録材を排紙するように制御する制御モジュールを有することを特徴とするプログラム。
【請求項１２】  前記印刷装置は、前記排紙された被記録材を受け入れる排紙部と、前記排紙部に被記録材が残存しているか否かを検出する検出手段とを備え、前記制御モジュールは、前記受信された印刷ジョブの実行中に該印刷ジョブに対する印刷ジョブキャンセル命令が受信された場合に、前記検出手段により前記排紙部に被記録材が残存していることが検出されると、前記乾燥手段により印刷中の被記録材上の記録剤を乾燥した後に該被記録材を前記排紙部に排紙するように制御することを特徴とする請求項１１記載のプログラム。
【請求項１３】  前記制御モジュールは、前記受信された印刷ジョブの実行中に前記印刷ジョブのキャンセル命令が受信された場合に、前記検出手段により前記排紙部に被記録材が残存していないことが検出されると、前記乾燥手段による印刷中の被記録材上の記録剤の乾燥を行わずに該被記録材を前記排紙部に排紙するように制御することを特徴とする請求項１２記載のプログラム。
【請求項１４】  印刷ジョブおよび印刷ジョブキャンセル命令を受信する受信手段と、前記受信された印刷ジョブに基づいて被記録材に対して記録剤を吐出することにより、前記被記録材への印刷を行う記録手段と、前記被記録材上に吐出された記録剤の乾燥を行う乾燥手段とを備える印刷装置を制御するためのプログラムであって、
前記受信された印刷ジョブを送信したユーザと前記受信された印刷ジョブキャンセル命令を送信したユーザとを判別する判別モジュールと、
前記受信された印刷ジョブの実行中に該印刷ジョブに対する印刷ジョブキャンセル命令が受信された場合、前記受信された印刷ジョブキャンセル命令を送信したユーザが、前記実行中の印刷ジョブの直前に被記録材が排紙された印刷ジョブを送信したユーザに一致しないと、前記乾燥手段により印刷中の被記録材上の記録剤を乾燥した後に該被記録材を排紙するように制御する制御モジュールと
を有することを特徴とするプログラム。
【請求項１５】  前記制御モジュールは、前記受信された印刷ジョブキャンセル命令を送信したユーザが前記実行中の印刷ジョブの直前に被記録材が排紙された印刷ジョブを送信したユーザに一致すると、前記乾燥手段による印刷中の被記録材上の記録剤の乾燥を行わずに該被記録材を排紙するように制御することを特徴とする請求項１４記載のプログラム。
【請求項１６】  請求項１１記載のプログラムをコンピュータ読み取り可能に格納したことを特徴とする記憶媒体。
【請求項１７】  請求項１４記載のプログラムをコンピュータ読み取り可能に格納したことを特徴とする記憶媒体。
【手続補正３】
【補正対象書類名】明細書
【補正対象項目名】０００１
【補正方法】変更
【補正の内容】
【０００１】
【発明の属する技術分野】
本発明は、ホストコンピュータなどから受信された印刷ジョブに基づいて被記録材に対して記録剤を吐出することにより、被記録材への印刷を行い、被記録材上に吐出された記録剤の乾燥を行う印刷装置、印刷方法、プログラムおよび記憶媒体に関する。
【手続補正４】
【補正対象書類名】明細書
【補正対象項目名】００１０
【補正方法】変更
【補正の内容】
【００１０】
本発明の目的は、印刷ジョブの実行中に該印刷ジョブに対するキャンセル命令が受信された場合、印刷ジョブが中断されて排紙された被記録材によってその前に排紙された被記録材などが汚されることを未然に回避することができる印刷装置、印刷方法、プログラムおよび記憶媒体を提供することにある。
【手続補正５】
【補正対象書類名】明細書
【補正対象項目名】００１１
【補正方法】変更
【補正の内容】
【００１１】
【課題を解決するための手段】
本発明は、上記目的を達成するため、印刷ジョブおよび印刷ジョブキャンセル命令を受信する受信手段と、前記受信された印刷ジョブに基づいて被記録材に対して記録剤を吐出することにより、前記被記録材への印刷を行う記録手段と、前記被記録材上に吐出された記録剤の乾燥を行う乾燥手段と、前記受信された印刷ジョブの実行中に該印刷ジョブに対する印刷ジョブキャンセル命令が受信された場合、前記乾燥手段により印刷中の被記録材上の記録剤を乾燥した後に該被記録材を排紙するように制御する制御手段とを備えることを特徴とする印刷装置を提供する。
本発明は、上記目的を達成するため、印刷ジョブおよび印刷ジョブキャンセル命令を受信する受信手段と、前記受信された印刷ジョブに基づいて被記録材に対して記録剤を吐出することにより、前記被記録材への印刷を行う記録手段と、前記被記録材上に吐出された記録剤の乾燥を行う乾燥手段と、前記受信された印刷ジョブを送信したユーザと前記受信された印刷ジョブキャンセル命令を送信したユーザとを判別する判別手段と、前記受信された印刷ジョブの実行中に該印刷ジョブに対する印刷ジョブキャンセル命令が受信された場合、前記受信された印刷ジョブキャンセル命令を送信したユーザが、前記実行中の印刷ジョブの直前に被記録材が排紙された印刷ジョブを送信したユーザに一致しないと、前記乾燥手段により印刷中の被記録材上の記録剤を乾燥した後に該被記録材を排紙するように制御する制御手段とを備えることを特徴とする印刷装置を提供する。
本発明は、上記目的を達成するため、印刷ジョブおよび印刷ジョブキャンセル命令を受信する受信工程と、前記受信された印刷ジョブに基づいて被記録材に対して記録剤を吐出することにより、前記被記録材への印刷を行う記録工程と、前記被記録材上に吐出された記録剤の乾燥を行う乾燥工程と、前記受信された印刷ジョブの実行中に該印刷ジョブに対する印刷ジョブキャンセル命令が受信された場合、前記乾燥工程により印刷中の被記録材上の記録剤を乾燥した後に該被記録材を排紙するように制御する制御工程とを有することを特徴とする印刷方法を提供する。
本発明は、上記目的を達成するため、印刷ジョブおよび印刷ジョブキャンセル命令を受信する工程と、前記受信された印刷ジョブに基づいて被記録材に対して記録剤を吐出することにより、前記被記録材への印刷を行う記録工程と、前記被記録材上に吐出された記録剤の乾燥を行う乾燥工程と、前記受信された印刷ジョブを送信したユーザと前記受信された印刷ジョブキャンセル命令を送信したユーザとを判別する判別工程と、前記受信された印刷ジョブの実行中に該印刷ジョブに対する印刷ジョブキャンセル命令が受信された場合、前記受信された印刷ジョブキャンセル命令を送信したユーザが、前記実行中の印刷ジョブの直前に被記録材が排紙された印刷ジョブを送信したユーザに一致しないと、前記乾燥工程により印刷中の被記録材上の記録剤を乾燥した後に該被記録材を排紙するように制御する制御工程とを有することを特徴とする印刷方法を提供する。
本発明は、上記目的を達成するため、印刷ジョブおよび印刷ジョブキャンセル命令を受信する受信手段と、前記受信された印刷ジョブに基づいて被記録材に対して記録剤を吐出することにより、前記被記録材への印刷を行う記録手段と、前記被記録材上に吐出された記録剤の乾燥を行う乾燥手段とを備える印刷装置を制御するためのプログラムであって、前記受信された印刷ジョブの実行中に該印刷ジョブに対する印刷ジョブキャンセル命令が受信された場合、前記乾燥手段により印刷中の被記録材上の記録剤を乾燥した後に該被記録材を排紙するように制御する制御モジュールを有することを特徴とするプログラムを提供する。
本発明は、上記目的を達成するため、印刷ジョブおよび印刷ジョブキャンセル命令を受信する受信手段と、前記受信された印刷ジョブに基づいて被記録材に対して記録剤を吐出することにより、前記被記録材への印刷を行う記録手段と、前記被記録材上に吐出された記録剤の乾燥を行う乾燥手段とを備える印刷装置を制御するためのプログラムであって、前記受信された印刷ジョブを送信したユーザと前記受信された印刷ジョブキャンセル命令を送信したユーザとを判別する判別モジュールと、前記受信された印刷ジョブの実行中に該印刷ジョブに対する印刷ジョブキャンセル命令が受信された場合、前記受信された印刷ジョブキャンセル命令を送信したユーザが、前記実行中の印刷ジョブの直前に被記録材が排紙された印刷ジョブを送信したユーザに一致しないと、前記乾燥手段により印刷中の被記録材上の記録剤を乾燥した後に該被記録材を排紙するように制御する制御モジュールと
を有することを特徴とするプログラムを提供する。
本発明は、上記目的を達成するため、上記いずれかのプログラムをコンピュータ読み取り可能に格納したことを特徴とする記憶媒体を提供する。